【誤訳訂正書】
【提出日】平成26年7月1日(2014.7.1)
【誤訳訂正１】
【訂正対象書類名】特許請求の範囲
【訂正対象項目名】全文
【訂正方法】変更
【訂正の内容】
【特許請求の範囲】
【請求項１】
燃料電池スタックと、
前記燃料電池スタックにカソード供給空気を提供するカソード供給ラインと、
前記燃料電池スタックにアノード供給ガスを提供するアノード供給ラインと、
前記燃料電池スタックからのカソード排気ガスを提供するカソード排気ラインと、
前記燃料電池スタックからのアノード排気ガスを提供するアノード排気ラインと、
前記カソード排気ガスと前記アノード排気ガスを混合する混合合流点と、
前記混合されたカソードおよびアノード排気ガス中の水素濃度を制限するための制御機と、
前記アノード排気ラインを前記混合合流点又は前記アノード供給ラインの何れかに切り替えて、前記アノード排気ライン中のアノード排気ガスを前記混合合流点にブリードするブリード弁と、を含み、
前記ブリード弁は前記制御機によって制御され、
アノード排気ガス流は、所望のスタック電流密度に対する一定のカソード空気流量及びカソード化学量論に対応し、
混合された排気ガス中の水素濃度を所定百分率よりも低く維持するために、燃料電池スタックの電流密度に応じてアノード排気ガス圧力がカソード排気ガス圧力よりも所定値だけ高くなるように前記ブリード弁を制御することにより、アノード排気ラインとカソード排気ラインとの間の圧力バイアスは維持される、燃料電池システム。
【請求項２】
前記圧力バイアスは、アノード排気ガス圧力がカソード排気ガス圧力より１０ｋＰａ〜３５ｋＰａ高くなるように維持される、請求項１に記載の燃料電池システム。
【請求項３】
前記制御機が、下降出力の過渡応答の間、前記ブリード弁を介する水素排気ガスのブリードを止める請求項１又は２に記載のシステム。
【請求項４】
カソード供給空気を提供する圧縮機と、前記燃料電池スタックをバイパスして前記カソード供給空気を前記混合合流点に供給するバイパス弁をさらに含む、請求項１〜３の何れかに記載のシステム。
【請求項５】
前記制御機は、システム始動時に前記バイパス弁を開にする請求項４に記載のシステム。
【請求項６】
前記制御機は、システム始動時の短い時間に前記燃料電池スタックをバイパスしてカソード空気を提供するように前記バイパス弁を開き、次いで、遅れて水素を前記燃料電池スタック中に流し、始動時に前記燃料電池スタックを通して流れ得る水素に対して多量の空気を混合合流点に提供する請求項５に記載のシステム。
【請求項７】
前記燃料電池スタックに関し上昇出力の過渡応答の間に、カソード空気を供給する圧縮機の応答が、水素反応ガスを供給する水素源の応答よりも遅延することを減少させるように、前記制御機は、前記圧力バイアス設定値の上昇速度のスルーレートをカソード空気流の上昇速度より低く制限する請求項４〜６の何れかに記載のシステム。
【請求項８】
前記水素濃度を体積で２％未満に維持する請求項１〜７の何れかに記載のシステム。
【請求項９】
燃料電池スタックと、
前記燃料電池スタックのカソード側にカソード供給空気を提供する圧縮機と、
前記圧縮機からのカソード供給空気が前記燃料電池スタックをバイパスすることを可能にするバイパス弁と、
前記燃料電池スタックからのアノード排気ガスをブリードするためのブリード弁と、
前記燃料電池スタックからのカソード排気ガスと前記スタックから前記ブリード弁を介してブリードされた前記アノード排気ガスとを混合する混合合流点と、
前記混合されたカソードおよびアノード排気ガス中の水素濃度を制限する制御機と、を含み、
前記ブリード弁は前記制御機によって制御され、
アノード排気ガス量は、所望のスタック電流密度に対する一定のカソード空気流量及びカソード化学量論に対応し、
混合された排気ガス中の水素濃度を所定百分率よりも低く維持するために、燃料電池スタックの電流密度に応じてアノード排気ガス圧力がカソード排気ガス圧力よりも所定値だけ高くなるように前記ブリード弁を制御することにより、アノード排気ラインとカソード排気ラインとの間の圧力バイアスを維持し、
前記制御機が、システム始動時に、前記燃料電池スタックをバイパスし、前記カソード排気ガスと前記アノード排気ガスに混合されるカソード空気を供給するように前記バイパス弁を制御し、
前記カソード供給空気を提供する前記圧縮機の応答が、水素反応ガスを提供する水素源の応答よりも遅延することを減少させるように、前記制御機は、前記燃料電池スタックに関し上昇出力の過渡応答の間に前記圧力バイアス設定値の上昇速度のスルーレートをカソード空気流の上昇速度より低く制限し、
前記制御機が、さらに下降出力の過渡応答の間に前記ブリード弁を介する水素排気ブリードを止める、燃料電池システム。
【請求項１０】
前記圧力バイアスは、アノード排気ガス圧力がカソード排気ガス圧力より１０ｋＰａ〜３５ｋＰａ高くなるように維持される、請求項９に記載の燃料電池システム。
【請求項１１】
前記制御機は、システム始動時の短い時間に前記燃料電池スタックをバイパスしてカソード空気を提供するように前記バイパス弁を開き、次いで、遅れて水素を前記燃料電池スタック中に流し、始動時に前記燃料電池スタックを通して流れ得る水素に対して多量の空気を混合合流点に提供する請求項９又は１０に記載のシステム。
【請求項１２】
前記水素濃度を体積で２％未満に維持する請求項９〜１１の何れかに記載のシステム。
【請求項１３】
請求項１又は請求項９に記載のシステムにおいて、前記燃料電池スタックからのカソード排気ガスおよびアノード排気ガスの混合ガス中の水素濃度を制限する方法であって、
前記ブリード弁が開かれ、前記燃料電池スタックからのアノード排気ガスが前記混合合流点に提供され、
前記混合合流点にて前記アノード排気ガスと前記カソード排気ガスとが混合され、
アノード排気ガス量は、所望のスタック電流密度に対する一定のカソード空気流量及びカソード化学量論に対応し、
混合された排気ガス中の水素濃度を所定百分率よりも低く維持するために、燃料電池スタックの電流密度に応じてアノード排気ガス圧力がカソード排気ガス圧力よりも所定値だけ高くなるようにアノード排気ラインとカソード排気ラインとの間の圧力バイアスを維持する
ことを含む方法。
【請求項１４】
前記圧力バイアスは、アノード排気ガス圧力がカソード排気ガス圧力より１０ｋＰａ〜３５ｋＰａ高くなるように維持される、請求項１３に記載の方法。
【請求項１５】
請求項４又は請求項９に記載のシステムにおいて、システム始動時に前記バイパス弁が開かれ、前記燃料電池をバイパスしてカソード供給空気が前記混合地点に提供され、混合されているカソード及びアノード排気ガスと混合される、
ことをさらに含む、請求項１３又は１４に記載の方法。
【請求項１６】
前記燃料電池スタックへのカソード空気供給が、前記燃料電池スタックへの水素反応ガス供給よりも遅延することを減少させるように、前記燃料電池スタックに関し上昇出力の過渡応答の間に前記圧力バイアス設定値の上昇速度のスルーレートをカソード空気流の上昇速度より低く制限することをさらに含む請求項１３〜１５に記載の方法。
【請求項１７】
下降出力の過渡応答の間に、前記ブリード弁を閉じてアノード排気ガスブリードを止めることをさらに含む請求項１３〜１６の何れかに記載の方法。
【誤訳訂正２】
【訂正対象書類名】明細書
【訂正対象項目名】００１２
【訂正方法】変更
【訂正の内容】
【００１２】
本発明の教示によれば、燃料電池システム内でアノード排気ガス流からブリードされる水素の量を制限するシステムと方法が開示される。その方法は、アノード排気ガスがブリードされ、カソード排気ガスと混合される場合、混合ガス中で水素濃度を所定の百分率より低く維持するように燃料電池スタックのアノード出口とカソード出口の間の圧力バイアスを維持するステップを含む。圧力バイアスは、アノード排気ガスがカソード排気ガスより高いガス圧力を有するようにする。システム始動の間、カソード供給空気はスタックをバイパスされ、カソード排気およびアノード排気と直接混合される。その方法は、上昇出力の過渡応答の間のスタックに対し圧力バイアスに関して、スタックへのカソード空気の供給と、スタックへの水素反応ガスの供給との間のどんな遅延も減少させるようにスルーレート制限を設定する。その方法は、下降出力の過渡応答の間、水素排気ガスブリードを時には止めることもある。
【誤訳訂正３】
【訂正対象書類名】明細書
【訂正対象項目名】００２５
【訂正方法】変更
【訂正の内容】
【００２５】
水素インジェクタが圧縮機３０より早く応答するので、高い圧力バイアスがごく短時間で水素排気濃度を増加させることがあるため、上述した圧力バイアス表では、上昇出力の過渡応答の間に過剰の水素排気放出を防止できないことがある。この潜在的な問題に対処するために、本発明では、上昇出力の過渡応答に関して圧力バイアス設定値にスルーレート制限を提案する。例えば、スタック１２からの出力をアイドル出力から最大出力へとすることが要求される際に、設定値を１０ｋＰａから３５ｋＰａまで通常、段階的に上げる。圧縮機３０が最大出力に対する所望のカソード設定値になるまで、この高い圧力バイアスによってもたらされた高い水素流が、十分希釈されないときがある。圧力バイアス設定値の上昇速度がカソード流の上昇速度より低く制限されると、上昇出力の過渡応答にわたって水素は十分に希釈され続ける。